(57)【要約】【課題】実用性に優れると共に、立体的な装飾体が上下運動および回転運動して視覚的に新鮮な感覚を与えて、飽きのこない趣向に富んだ立体的な変化が得られ、かつ、躍動感のある面白い装飾美感を備えた容器を提供する。【解決手段】上端を開口した有底筒状の容器本体１０の側壁部１１を内側に凹ませて、凹部１２を形成し、この凹部１２を横切って設けたピン状部材２０に装飾体３０を移動自在に取り付けた。装飾体３０はピン状部材２０に支持され、上下方向に移動でき、かつ、自由に回転できるため、装飾体３０は興味深い動きをして、使用者の好奇心を引くことができ、遊具或は通常の容器として利用することができる。【選択図】  図１
2004262554.tif 000002
【特許請求の範囲】
【請求項１】
上端を開口した有底筒状の容器本体の一部に、外表面を内側に凹ませた凹部を形成し、該凹部を横切って設けたピン状部材に装飾体を移動自在に取り付けたことを特徴とする容器。
【請求項２】
前記ピン状部材は伸縮自在であり、前記凹部内に形成した係止孔に取り外し自在に係止されることを特徴とする請求項１に記載の容器。
【請求項３】
前記ピン状部材に保持部材を位置調整自在に取り付け、該保持部材により前記装飾体を適宜の位置に保持させることを特徴とする請求項１または２に記載の容器。
【請求項４】
前記保持部材は弾性管状体で構成されていることを特徴とする請求項３に記載の容器。
【請求項５】
前記装飾体は人形玩具であることを特徴とする請求項１〜４のいずれかに記載の容器。
【発明の詳細な説明】
【技術分野】
【０００１】
本発明は、容器に関し、特に、移動自在の立体的な装飾体を備え視覚的趣向を向上させた容器に関する。
【背景技術】
【０００２】
従来の各種容器、例えばマグカップやグラスなどの容器あるいはその他の容器は、単に容器としての機能や用途しかなく、装飾などの視覚的趣向を付加した容器でも、単に容器の材料、形状、色彩あるいはパタ−ンを変化させたり、容器の表面に図形或は文字を印刷したりするだけで、主に平面的な趣向を付加したものであった。そして、従来の各種容器は、容器の実用性が重視され、容器外面の美観性が制限されているため、視覚的趣向や興味を引くようなものではなかった。
【発明の開示】
【発明が解決しようとする課題】
【０００３】
本発明は、実用性に優れると共に、立体的な装飾体が上下運動および回転運動して視覚的に新鮮な感覚を与えて、飽きのこない趣向に富んだ立体的な変化が得られ、かつ、躍動感のある面白い装飾美感を備えた容器を提供することを目的とする。
【課題を解決するための手段】
【０００４】
上記課題を達成するために、請求項１に記載の容器に係る発明は、上端を開口した有底筒状の容器本体の一部に、外表面を内側に凹ませた凹部を形成し、該凹部を横切って設けたピン状部材に装飾体を移動自在に取り付けたことを特徴とする。
また、上記課題を達成するために、請求項２に記載の容器に係る発明は、請求項１に記載の発明において、ピン状部材は伸縮自在であり、凹部内に形成した係止孔に取り外し自在に係止されることを特徴とする。
さらに、上記課題を達成するために、請求項３に記載の容器に係る発明は、請求項１または２に記載の発明において、ピン状部材に保持部材を位置調整自在に取り付けて、保持部材により装飾体を適宜の位置に保持させることを特徴とする。
さらにまた、上記課題を達成するために、請求項４に記載の容器に係る発明は、請求項３に記載の発明において、保持部材は弾性管状体で構成されていることを特徴とする。
さらにまた、上記課題を達成するために、請求項５に記載の容器に係る発明は、請求項１〜４のいずれかに記載の発明において、装飾体は人形玩具であることを特徴とする。
なお、本発明において、容器とは、例えば、陶器または陶磁器製のマグカップなどの容器、ガラス製のコップなどの容器、金属製のカップなどの容器、合成樹脂製のコップやカップなどの容器のように、一般的に用いられている容器を意味する。
また、本発明は、他の類似用途の容器、例えば、ペン立て、花びん、その他容器形状の各種玩具などにも適用することができる。
【発明の効果】
【０００５】
請求項１に記載の容器に係る発明によれば、上端を開口した有底筒状の容器本体の一部に、外表面を内側に凹ませた凹部を形成し、該凹部を横切って設けたピン状部材に装飾体を移動自在に取り付けたので、装飾体は上下方向に移動したり、或は、自由に回転できるため、装飾体が興味深い動きをして、躍動感のある面白い装飾美観と実用性を兼ね備えた容器として利用することができる。
また、請求項２に係る発明によれば、伸縮自在のピン状部材を構成したので、種々の装飾体を用意して、使用者の嗜好に合わせて適宜の装飾体に取り替えることができる。
さらに、請求項３に記載の容器に係る発明によれば、ピン状部材に取り付けた保持部材の位置を適宜位置に調整して、装飾体の上下方向或は左右方向の位置を適宜位置に調整することができる。
さらにまた、請求項４に記載の容器に係る発明によれば、弾性を備えた管状部材を適宜長さに切断することにより、装飾体の大きさや形状に合わせた所望の長さの保持部材を簡単に得ることができる。
さらにまた、請求項５に記載の容器に係る発明によれば、装飾体を人形玩具とすることにより、使用者の好奇心をさらに向上させることが可能となる。
【発明を実施するための最良の形態】
【０００６】
以下、本発明の好適な実施の形態を、容器としてマグカップを例として説明する。
まず、図１〜図５に示すように、本実施の形態に係るマグカップは、底壁部（外表面）１５を有する有底筒状の容器本体１０と、この容器本体１０の側壁部（外表面）１１に一体に固定された取っ手１７を備えており、容器本体１０の内部は、例えば飲料水などの収容部１６に形成されている。
【０００７】
本実施の形態では、容器本体１０の側壁部１１に凹部１２が形成されている。
この凹部１２は、図２、図４及び図５に示すように、側壁部１１の適宜の部分を収容部１６内に半円筒状に突出させて形成されている。凹部１２の上壁部１３は、側壁部１１から連続して一体に形成され、また、凹部１２の下壁部１４は底壁部１５と一体に形成されている。また、凹部１２には、凹部１２内の上下対向位置、すなわち、凹部１２の上壁部１３と下壁部１４との間、または、凹部１２内の左右対向位置、すなわち、対向する側壁部１１の間に一対の係止孔１８が形成されており、上下方向または左右方向に対向する一対の係止孔１８に、後述するピン状部材２０の両端に設けた係止ピン２２が嵌合される。
【０００８】
装飾体３０は、図１、図３、図４及び図５に示すように、凹部１２に取り付けられたピン状部材２０に移動自在に装着されている。
本実施の形態では、装飾体３０は立体形状の人形玩具であり、この装飾体３０は、人形体３１と台座部３２とから一体に形成されると共に、装飾体３０のほぼ中心位置に上下方向に貫通する挿通孔３３が形成されている。台座部３２は、図１に示すように、適宜のロゴや記号などを表示する広告機能を備えている。
【０００９】
ピン状部材２０は、図４及び図６に示すように、筒状本体部２１と、この筒状本体部２１の両端部に出没自在に設けられた一対の係止ピン２２と、これらの係止ピン２２をそれぞれ反対方向に付勢するコイルバネ２３から構成されている。各係止ピン２２は、図６に示す突出状態で、筒状本体部２１から抜けないように筒状本体部２１に保持されている。
また、このピン状部材２０には、弾性を有するゴム製或は軟質合成樹脂製の管状のストッパ（保持部材）２４が、筒状本体部２１の適宜の位置に位置調整自在に取り付けられている。本実施の形態に係る管状のストッパ２４は、ゴム製或は軟質合成樹脂製の管状体（チューブ）を適宜長さに切断することにより簡単に製作することができる。
【００１０】
次に、本実施の形態に係る容器本体１０に装飾体３０を取り付ける手順を説明する。
まず、図１に示すように、凹部１２が形成された容器本体１０と人形玩具からなる装飾体３０を用意する。この場合、装飾体３０の大きさは、容器本体１０の凹部１２に収容できる程度の大きさであれば、どのような大きさのものでもよい。また、装飾体３０は、挿通孔３３が予め形成された装飾体３０でもよいし、或は、適宜形状の装飾体３０を用意して、この装飾体３０に挿通孔３３を形成してもよい。
【００１１】
次に、装飾体３０の挿通孔３３に、適宜位置にストッパ２４を取り付けたピン状部材２０を挿通する。この場合、ピン状部材２０の両端に設けた各係止ピン２２が、装飾体３０の上下から突出した状態とする。この状態では、ピン状部材２０に取り付けられたストッパ２４により、装飾体３０はピン状部材２０の適宜の位置に位置決めされる。
次に、ピン状部材２０のコイルバネ２３の付勢力に抗して、両係止ピン２２を互いに接近する方向に押圧し、各係止ピン２２を筒状本体部２１内に収容して、ピン状部材２０の長さを短縮させる。
そして、ピン状部材２０の長さを短縮させた状態で、各係止ピン２２を、容器本体１０の凹部１２に形成した各係止孔１８に対応させ、その後、各係止ピン２２を押圧する力を解放して、各係止ピン２２を各係止孔１８に嵌合して、装飾体３０を容器本体１０の凹部１２に取り付けて、容器本体１０に対する装飾体３０の取り付けを完了する。
【００１２】
なお、ピン状部材２０の各係止ピン２２を凹部１２の各係止孔１８に嵌合する場合、一方の係止ピン２２を、一方の係止孔１８に嵌合した状態で、他方の係止ピン２２をコイルバネ２３に抗して押圧し、この他方の係止ピン２２を、他方の係止孔１８に対応させた後、他方の係止ピン２２の押圧力を解放して、他方の係止ピン２２を他方の係止孔１８に嵌合して、装飾体３０を容器本体１０の凹部１２に取り付けてもよい。
また、容器本体１０の凹部１２から装飾体３０を取り外す場合には、適宜の工具を利用して、ピン状部材２０の一方または他方の係止ピン２２を一方または他方の係止孔１８から引き抜いた後、装飾体３０をピン状部材２０と一緒に取り外すことができる。
【００１３】
本実施の形態に係る容器によれば、容器本体１０に装飾体３０を取り付けて、装飾体付き容器を構成したので、取っ手１７を把持して容器本体１０を上下方向に揺らすと、装飾体３０は、ピン状部材２０に対して同じ方向に往復移動して、躍動感のある動きをさせることができる。また、装飾体３０をピン状部材２０を中心として回転させると、さらに生き生きとした躍動感のある動きをさせることができる。
この場合、ピン状部材２０にストッパ２４を取り付けて、装飾体３０の上下方向の位置を調整自在としているので、装飾体３０の位置を凹部１２の壁面に接触しないように調整して、装飾体３０の動きを妨げないようにすることができる。
また、装飾体３０が、凹部１２の大きさに比較して小さい形状の装飾体３０の場合でも、ストッパ２４の位置を適宜位置に調整することにより、取っ手１７を把持した片方の手の親指を装飾体３０に近づけて、片手だけで装飾体３０を動かすこともできる。
【００１４】
以上、本発明の実施の形態を、容器本体１０の側壁部１１に凹部１２を形成した場合について説明したが、凹部１２は、容器本体１０の底壁部１５に形成してもよい。
この場合には、凹部１２に、例えば略球形状の装飾体３０を配置して、取っ手１７を把持した状態で、容器本体１０をテーブル面などの平面上で転動させて、容器本体１０を遊具として楽しむことができる。
また、凹部１２の適宜の部分と装飾体３０の適宜位置に、それぞれ極性の異なる磁石を設けることにより、装飾体３０を移動させても、必ず一定の位置で装飾体３０を停止させるようにすることもできる。
さらに、凹部１２の上下部壁１３、１４と装飾体３０の上下部分に、それぞれ同極性の磁石を配置して、上下部壁１３、１４の磁石と装飾体３０の磁石を互いに反発させて、装飾体３０を凹部１２内で浮遊させた状態に保持することもできる。この場合、装飾体３０を移動させると、装飾体３０は上下往復運動して、最終的に一定の位置に停止させることができる。
【００１５】
さらに、本発明の実施の形態を、容器本体１０の凹部１２に上下方向にピン状部材２０を取り付けた場合について説明したが、凹部１２に左右方向にピン状部材２０を取り付けて装飾体３０を水平軸または傾斜軸の周りに移動できるようにすることもできる。この場合、装飾体３０を挟むように２個のストッパ２４をピン状部材２０に取り付けてもよい。
また、以上の説明では、容器本体１０の側壁部１１或は底壁部１５に凹部１２を形成した場合について説明したが、容器本体１０の側壁部１１と底壁部１５の両方に凹部１２を形成して、それぞれの凹部１２に、同一の或は異なる形状の装飾体３０を移動自在に設けてもよい。その場合には、容器本体１０の少なくとも底壁部１５を透明或は半透明として、底壁部１５に取り付けた装飾体３０を目視できるようにしてもよい。
【図面の簡単な説明】
【００１６】
【図１】本発明の実施の形態に係る容器の側面図である。
【図２】図１の上面図である。
【図３】図１の異なる方向から見た側面図である。
【図４】図２のＢ−Ｂ断面図である。
【図５】図１のＡ−Ａ断面図である。
【図６】ピン状部材の斜視図である。
【符号の説明】
【００１７】
１０  容器本体
１１  側壁部（外表面）
１２  凹部
１３  上壁部
１４  下壁部
１５  底壁部（外表面）
１６  収容部
１７  取っ手
１８  係止孔
２０  ピン状部材
２１  筒状本体部
２２  係止ピン
２３  コイルバネ
２４  ストッパ（保持部材）
３０  装飾体
３１  人形体
３２  台座部
３３  挿通孔
【図１】
2004262554.tif 000003
【図２】
2004262554.tif 000004
【図３】
2004262554.tif 000005
【図４】
2004262554.tif 000006
【図５】
2004262554.tif 000007
【図６】
2004262554.tif 000008